(57)【特許請求の範囲】
【請求項１】
内燃機関の燃焼室に燃料を噴射する燃料噴射弁の駆動用電圧をバッテリの電圧よりも高圧の基準電圧に昇圧する昇圧回路を有する内燃機関の燃料噴射制御装置であって、
燃料噴射により低下する前記基準電圧の電圧降下量を推定すると共に前記昇圧回路により昇圧される電圧上昇量を推定する電圧推定手段と、該電圧推定手段により求めた電圧降下量と電圧上昇量とに基づいて燃料噴射時の燃料噴射量を補正するための補正量を算出する補正量算出手段と、を備え、
前記電圧推定手段は、前記燃料噴射弁１本の駆動あたりの燃料噴射するたびの予め設定した消費電力量に基づき、前記基準電圧を所定値低下させて前記電圧降下量を推定することを特徴とする内燃機関の燃料噴射制御装置。
【請求項２】
内燃機関の燃焼室に燃料を噴射する燃料噴射弁の駆動用電圧をバッテリの電圧よりも高圧の基準電圧に昇圧する昇圧回路を有する内燃機関の燃料噴射制御装置であって、
燃料噴射により低下する前記基準電圧の電圧降下量を推定すると共に前記昇圧回路により昇圧される電圧上昇量を推定する電圧推定手段と、該電圧推定手段により求めた電圧降下量と電圧上昇量とに基づいて燃料噴射時の燃料噴射量を補正するための補正量を算出する補正量算出手段と、を備え、
前記基準電圧は、前記バッテリの電源投入後かつ燃料噴射前またはアイドルストップ後燃料噴射前に実測した昇圧電圧とすることを特徴とする内燃機関の燃料噴射制御装置。
【請求項３】
前記電圧推定手段は、前回噴射時点からの経過時間と前記昇圧回路による昇圧特性により今回噴射時点での前記電圧上昇量を推定することを特徴とする請求項１又は２に記載の内燃機関の燃料噴射制御装置。
【請求項４】
前記電圧推定手段は、前記基準電圧を上限として前記電圧上昇量を推定することを特徴とする請求項１又は２に記載の内燃機関の燃料噴射制御装置。
【請求項５】
前記昇圧特性は、バッテリ電圧、またはバッテリ電圧なまし値、または制御装置の周辺温度、または制御装置の基板温度、または昇圧回路の温度の、いずれか２つ以上によって設定されることを特徴とする請求項３に記載の内燃機関の燃料噴射制御装置。
【請求項６】
前記補正量は、燃料噴射に対して、個別に算出されることを特徴とする請求項１又は２に記載の内燃機関の燃料噴射制御装置。
【請求項７】
前記補正量は、昇圧電圧が前記基準電圧より低い場合には、燃料噴射弁の開弁時間に関わる無効パルス幅を延長し、燃料噴射パルス幅を延長するように補正されることを特徴とする請求項１、２、又は６に記載の内燃機関の燃料噴射制御装置。
【請求項８】
前記補正量は、昇圧電圧が前記基準電圧より高い場合には、燃料噴射弁の開弁時間に関わる無効パルス幅を短縮し、燃料噴射パルス幅を短縮するように補正されることを特徴とする請求項１、２、又は６に記載の内燃機関の燃料噴射制御装置。
【請求項９】
前記電圧推定手段は、前回噴射時点と今回噴射時点間に所定タイミングで実測した電圧と、前記所定タイミングからの経過時間と、前記昇圧回路による昇圧特性により今回噴射時点での昇圧電圧を推定することを特徴とする請求項１又は２に記載の内燃機関の燃料噴射制御装置。
【発明の詳細な説明】
【技術分野】
【０００１】
本発明は、内燃機関の燃料噴射制御装置に係り、例えば燃料噴射量のばらつきを抑えることができる内燃機関の燃料噴射制御装置に関する。
【背景技術】
【０００２】
従来、燃料噴射のためのシステムでは、内燃機関のシリンダ１動作サイクルにおいて電磁駆動される燃料噴射弁を有する燃料噴射装置から燃焼室に対して、複数回の燃料噴射（多段噴射）による燃料供給が行われている。
【０００３】
また、こうした燃料噴射装置においては、昇圧電源は、一般的には誘導素子とスイッチング素子からなる昇圧回路と、昇圧された電力を蓄えるコンデンサとから構成されている。昇圧電源から燃料噴射弁に通電する場合には、コンデンサからの放電によって電力が供給される。このため、昇圧電源から通電するとコンデンサは放電によって電圧が降下してしまう。
【０００４】
コンデンサは、放電後に電力が昇圧回路によってチャージされて、昇圧された所定の電圧に復帰するが、複数回の噴射を比較的短時間に行う場合には、二回目以降の噴射にチャージが間に合わないことがある。
【０００５】
例えば特許文献１では、エンジンコントローラユニットによりバッテリ電圧を昇圧した昇圧電圧をモニタし、該昇圧電圧が設定された通常電圧以下に低下したとき、燃料噴射弁の開弁時間Ｐｉを延長し、燃料噴射弁の動作に必要な駆動電流を確保する構成により、昇圧電圧が低下した場合においても、要求された噴射回数について実行可能な最大回数の噴射を行うことにより、信頼性の高い燃料噴射装置を実現している。
【先行技術文献】
【特許文献】
【０００６】
【特許文献１】特開２０１１−１８５１５７号公報
【発明の概要】
【発明が解決しようとする課題】
【０００７】
しかし、内燃機関の燃料噴射装置においては、多段噴射に対する要求が年々増大している一方で、排気ガスの浄化を目的として昇圧電圧のチャージが間に合わないような短期間での燃料噴射をすることが求められている。昇圧電圧のチャージが完了する前に次の噴射を行うと、昇圧電圧不足によって燃料噴射弁のプランジャの吸引エネルギーが低下して燃料噴射弁の開弁遅れとなり、噴射量のばらつきが大きくなってしまう。特に低噴射パルス域では、この影響が大きく、開弁遅れによる噴射量のばらつきを抑える補正制御が必要である。
【０００８】
また、多段噴射時に噴射タイミングが近接するような噴射を実行する場合、昇圧電圧のチャージ時間を確保するために噴射タイミングを遅らせると、エンジン出力、排気ガスの浄化、燃費向上を高い次元で両立させることを目的として要求噴射タイミングを設定したとしても、所望のタイミングで燃料噴射を実行できないことがある。
【０００９】
本発明は、このような問題に鑑みてなされたものであって、その目的とするところは、噴射タイミングが近接し、昇圧電圧のチャージが間に合わないような短期間の噴射が求められた場合に、所望の噴射タイミングの要求を満たすことができ、昇圧電圧がチャージ中に噴射することによる燃料噴射量ばらつきを抑える内燃機関の燃料噴射制御装置を提供することにある。
【課題を解決するための手段】
【００１０】
前記目的を達成すべく、本発明に係る内燃機関の燃料噴射制御装置は、内燃機関の燃焼室に燃料を噴射する燃料噴射弁の駆動用電圧をバッテリの電圧よりも高圧の基準電圧に昇圧する昇圧回路を有する内燃機関の燃料噴射制御装置であって、燃料噴射により低下する前記基準電圧の電圧降下量を推定すると共に前記昇圧回路により昇圧される電圧上昇量を推定する電圧推定手段と、該電圧推定手段により求めた電圧降下量と電圧上昇量とに基づいて、燃料噴射時の燃料噴射量を補正するための補正量を算出する補正量算出手段と、を備えることを特徴とする。
【発明の効果】
【００１１】
本発明によれば、多段噴射により昇圧回路の昇圧電圧が設定された基準電圧以下に低下した場合の噴射であっても、昇圧電圧推定値に応じて燃料噴射量を補正できるため、要求された噴射タイミングをずらすことなく、燃料噴射量のばらつきが抑えられる。
【図面の簡単な説明】
【００１２】
【図１】本発明に係る内燃機関の燃料噴射制御装置の一実施形態を備えた内燃機関の全体構成図。
【図２】図１のエンジンコントロールユニットを示す制御ブロック図。
【図３】本発明の燃料噴射制御装置の制御ブロック図。
【図４】燃料噴射弁の駆動電流と、昇圧電圧と、昇圧復帰時間の関係を示したタイミングチャート。
【図５】多段噴射時の要求動作の一例を示すタイミングチャート。
【図６】多段噴射時の要求動作の他の例を示すタイミングチャート。
【図７】多段噴射時の要求動作のさらに他の例を示すタイミングチャート。
【図８】バッテリ電圧と昇圧電圧の復帰基準時間の関係を示すタイミングチャート。
【図９】本発明による昇圧電圧推定値と昇圧電圧推定補正量の関係を示すタイミングチャート。
【図１０】本発明による燃料噴射制御のフローチャート。
【発明を実施するための形態】
【００１３】
以下、本発明に係る内燃機関の燃料噴射制御装置の実施形態について図面に基づき詳細に説明する。図１は、本発明に係る燃料噴射制御装置を備えた内燃機関のシステムの基本構成を示している。
【００１４】
図１において、内燃機関１は、シリンダ内にピストン２、吸気弁３、排気弁４を備えている。燃料噴射弁５はシリンダ内の燃焼室内に燃料を直接噴射するものであり、シリンダヘッドには点火プラグ６と点火コイル７が備えられている。シリンダのウォータジャケットには冷却水の水温センサ８が備えられている。内燃機関１に吸入される空気は、ＡＦＭ（空気流量計: Air Flow Meter ）２０を通過し、スロットル弁１９、コレクタ１５の順に吸入にされ、その後、各気筒に備わる吸気管１０、吸気弁３を介して燃焼室２１に供給される。
【００１５】
一方、燃料は、燃料タンク２３から低圧燃料ポンプ２４により、内燃機関１に備わる高圧燃料ポンプ２５へ送られ、高圧燃料ポンプ２５は、ＥＣＵ（ Engine Control Unit ）９からの制御指令値に基づき、燃料圧を所望の圧力になる様に制御する。これにより高圧化された燃料は、高圧燃料配管２９を介して、燃料噴射弁５へ送られ、燃料噴射弁５は、ＥＣＵ９内に備わる燃料噴射弁制御装置２７の指令に基づき、燃料を燃焼室２１内へ噴射する。
【００１６】
内燃機関１には、高圧燃料ポンプ２５を制御するため、高圧燃料配管２９内の圧力を計測する燃料圧力センサ２６が備わっており、ＥＣＵ９は、このセンサ値に基づき、高圧燃料配管内２９の燃料圧を所望の圧力になる様、所謂フィードバック制御を行うように構成されている。更に内燃機関１には、前記点火コイル７、点火プラグ６が備えられており、ＥＣＵ９により、所望のタイミングで点火コイル７への通電制御と点火プラグ６による点火制御が行われる仕組みとなっている。
【００１７】
これにより、燃焼室２１内で吸入空気と燃料は、点火プラグ６から放たれる火花により燃焼する。燃焼により生じた排気ガスは、排気弁４を介して、排気管１１に排出され、排気管の途中には、この排気ガスを浄化するための三元触媒１２が備えられている。三元触媒１２の上流側に排ガス中の酸素濃度を検出する酸素センサ１３が設置されている。
【００１８】
ＥＣＵ９には、前述の燃料噴射制御装置２７が内蔵され、内燃機関１のクランク軸（図示せず）角度を計測するクランク角度センサ１６、吸入空気量を示すＡＦＭ２０、排気ガス中の酸素濃度を検出する酸素センサ１３、運転者が操作するアクセルの開度を示すアクセル開度センサ２２、燃料圧力センサ２６等の信号が入力される。
【００１９】
各センサから入力された信号について更に述べると、ＥＣＵ９は、アクセル開度センサ２２のアクセル開度信号から、内燃機関１の要求トルクを算出するとともに、アイドル状態であるか否かの判定等を行う。また、ＥＣＵ９は、クランク角度センサ１６の信号から、内燃機関１の回転速度（以下、エンジン回転数）を演算する回転数検出手段と、水温センサ８から得られる内燃機関１の冷却水温と内燃機関始動後の経過時間等から三元触媒１２が暖機された状態であるか否かを判断する手段などが備えられている。
【００２０】
また、ＥＣＵ９は、前述の要求トルクなどから、内燃機関１に必要な吸入空気量を算出し、それに見合った開度信号をスロットル弁１９に出力し、燃料噴射制御装置２７は吸入空気量に応じた燃料量を算出して燃料噴射弁１５に燃料噴射信号を出力し、更に点火コイル１７に点火信号を出力する。排気管１１とコレクタ１５との間はＥＧＲ（排気ガス再循環）通路１８により接続され、ＥＧＲ通路１８の途中にはＥＧＲ弁１４が備えられている。ＥＧＲ弁１４の開度はＥＣＵ９によって制御され、排気管１１の中の排気ガスが吸気管１０に還流され再燃焼される。
【００２１】
つぎに、図２を参照して、ＥＣＵ９について説明する。図２はＥＣＵ９の制御ブロック図を示している。燃料噴射制御装置２７はＥＣＵ９に内蔵され、マイコン３４、ドライバＩＣ４５、昇圧回路４１、上部ドライバ４２、下部ドライバ４３とから構成されている。
【００２２】
車両用電源であるバッテリ３１からのバッテリ電圧は、ＥＣＵ９に供給されることで、電源ＩＣ３３、燃料噴射制御回路２７のドライバＩＣ４５、燃料噴射装置駆動用の昇圧回路４１、及び上部ドライバ４２等に供給される。電源ＩＣ３３からの電圧は制御手段としてのマイコン３４、ドライバＩＣ４５等に供給される。昇圧回路４１は燃料噴射弁５の駆動用電圧をバッテリ３１の電圧よりも高圧の基準電圧に昇圧するものであり、バッテリの電圧の１２ボルトより高い６５ボルト程度に電圧が上げられる。
【００２３】
燃料噴射制御装置２７のドライバＩＣ４５は、マイコン３４との通信部３９、昇圧回路駆動部４０およびドライバ駆動部３８を有し、昇圧回路駆動部４０から昇圧回路４１にスイッチング信号を送って昇圧回路４１により昇圧された電圧を上部ドライバ４２に供給する。また、昇圧回路４１で昇圧された電圧はドライバＩＣ４５の昇圧回路駆動部４０にフィードバックされ、ドライバＩＣ４５はこれにより再びスイッチング信号を送るか否かを判断する。
【００２４】
また、昇圧回路４１で昇圧された電圧は、マイコン３４のＡ／Ｄコンバータ３５にフィードバックされ、マイコン３４はＡ／Ｄ値を基にして通信部３６よりドライバＩＣ４５に対して信号を送ることができる。マイコン３４はＡ／Ｄコンバータ３５を介して、昇圧電圧の他に燃圧センサや温度センサ（ＥＣＵ９の周辺温度、基板温度、昇圧回路の温度含む）等からの信号を入力、モニタすることが可能である。マイコン３４はこの他にも、外部負荷を駆動したり、外部からの信号をモニタしたりする入出力ポート３２を有している。また、マイコン３４は、図示しないが、ＲＯＭ、ＲＡＭを備え、設定値等を記憶できる機能を備えている。
【００２５】
マイコン３４は、燃料噴射制御部２８をその構成要素として備えているものであり、具体的には図３に示されているように、燃料噴射弁５が燃料噴射したときに基準電圧が下がる電圧降下量を推定すると共に、昇圧回路４１により昇圧される電圧上昇量を推定する電圧推定手段５２を内蔵している。また、マイコン３４は、電圧推定手段により求めた電圧降下量と電圧上昇量に基づいて、燃料噴射時の燃料噴射量を補正するための補正量を算出する補正量算出手段５３を内蔵している。
【００２６】
燃料噴射制御装置２７の上部ドライバ４２は昇圧回路４１の昇圧電圧によりコイル負荷４４を駆動する昇圧電圧ドライバ４２ａと、バッテリ３１からのバッテリ電圧によりコイル負荷４４を駆動するバッテリ電圧ドライバ４２ｂを有する。上部ドライバ４２はドライバＩＣ４５のドライバ駆動部３８の駆動信号Ａおよび駆動信号Ｂにより、電磁コイルを有する燃料噴射弁等のコイル負荷４４へ電流を供給する。駆動信号Ａは昇圧電圧による昇圧電圧ドライバ４２ａをトリガし、駆動信号Ｂはバッテリ電圧によるバッテリ電圧ドライバ４２ｂをトリガする。また、下部ドライバ４３は、ドライバ駆動部３８の駆動信号Ｃによりコイル負荷４４からの電流をグランド電位に流す。
【００２７】
上部ドライバ４２と下部ドライバ４３の少なくとも一方は、シャント抵抗等を用いた電流検出部及び端子電圧検出部を有しており、ドライバ及びコイル負荷４４に流れる電流値を検出してフィードバックするドライバ駆動制御を行っている。また、これらの機能によりドライバへの過電流や端子の天絡、地絡の検出を行うことも可能である。
【００２８】
ここで、この実施形態では昇圧回路４１、上部ドライバ４２、下部ドライバ４３はドライバＩＣ４５と別体に設けているが、これらをドライバＩＣ４５の内部に設けてもよい。すなわち、ドライバＩＣ４５をドライバもしくはプリドライバどちらの役割で使用してもよい。
【００２９】
図３は、本発明に係る燃料噴射弁の燃料噴射制御部２８に関するものであり、推定した昇圧電圧により燃料噴射パルス幅を補正する制御ブロック図の一例を示している。燃料噴射タイミング演算手段５１は、燃料噴射タイミングを演算する手段であり、エンジン回転数や、エンジン水温、噴射行程情報などの条件により、気筒毎に噴射タイミングを算出する。昇圧電圧推定手段５２は、気筒毎の燃料噴射タイミング、ＥＣＵ９の周辺温度、ＥＣＵ９の基板温度、昇圧回路の温度、バッテリ電圧、またはバッテリ電圧なまし値から、昇圧回路駆動部４０でモニタする昇圧電圧を起点として、昇圧電圧の推定を行い、昇圧電圧推定値を算出する。具体的には、燃料噴射により低下する燃料噴射弁の電圧降下量を推定すると共に、昇圧回路４１により昇圧される燃料噴射弁の電圧上昇量を推定する。昇圧電圧推定値の算出方法については、後述で説明する。
【００３０】
昇圧電圧推定補正量算出手段５３では、前記昇圧電圧推定値によって、昇圧電圧降下に伴う燃料ばらつきを抑えるよう補正量を算出する。基本制御値算出手段５４では、エンジン回転数、負荷、エンジン水温などの条件により基本制御値を算出する。燃料噴射パルス幅演算手段５５では、前記基本制御値に対して、本発明の特徴点である後述する昇圧電圧推定手段５２と補正量算出手段５３で算出される前記昇圧電圧推定値による燃料補正量を反映し、噴射パルス幅を演算する。多段噴射を実行する際は、多段噴射回数や分割比に応じて複数回噴射するためのパルス幅を演算する。燃料噴射弁駆動手段５６は、燃料噴射弁９を駆動する手段であり、前記燃料噴射タイミングと前記燃料噴射パルス幅に応じて、燃料噴射弁５に対して、駆動電流を出力して燃料噴射を実行する。
【００３１】
つぎに、燃料噴射弁の１本駆動あたりの昇圧電圧降下量、及び降下時間の算出について、図４を用いて説明する。図４は、燃料噴射弁の駆動電流と、昇圧電圧と、昇圧復帰時間の関係を示したタイミングチャートである。この波形では、燃料噴射弁の１本駆動時に消費される電荷はΔＱ(401)の面積で示しており、ｄｔ(402)とｉｐ(403)からΔＱを下式（１）で算出できる。
ΔＱ＝ｄｔ×ｉｐ／２・・・（１）
【００３２】
ｄｔ(402)は燃料噴射弁の駆動電流が流れてからピーク電流に到達するまでの時間であり、昇圧電圧(Ｖboost)の降下時間ΔＴ(404)と等価である。ｄｔ(402)は、バッテリ電圧、またはバッテリ電圧なまし値、またはＥＣＵの周辺温度、またはＥＣＵの基板温度、または昇圧回路の温度、のいずれか２つ以上によって設定しておく。ここで、バッテリ電圧なまし値とは、バッテリ電圧に対して加重平均フィルタを掛けることにより、バッテリ電圧の変動を抑えたものとする。
【００３３】
ｉｐ(403)は燃料噴射弁のピーク電流であり、開弁電流I peakとして使用燃圧などに応じて予め設定しておく。燃料噴射弁駆動電流波形で立上り部は有効パルス幅ｗ１を示しており、立下り部と、平坦に延びる噴射電流I holdは無効パルス幅ｗ２を示している。本発明では、燃料噴射量を補正するための補正量は、無効パルス幅ｗ２を延長あるいは短縮して燃料噴射量のばらつきを抑えている。昇圧回路４１による電圧上昇量に対して燃料噴射による電圧降下量が大きい場合に、駆動電圧は基準電圧より低い電圧となる。この場合には、噴射電流を延長して無効パルス幅を延長することで開弁時間を延長して燃料噴射量を増やし燃料噴射量のばらつきを抑えることができる。
【００３４】
また、電荷算出式(Ｑ＝ＣＶ)から、燃料噴射弁１本駆動あたりの昇圧電圧降下量ΔＶ(405)は、下式（２）で算出できる（ΔＶは昇圧電圧降下量と呼ぶ）。
ΔＶ＝ΔＱ／Ｃ・・・（２）
【００３５】
昇圧回路４１内部で使用しているコンデンサに応じて静電容量：Ｃが決まるが、コンデンサは温度によるばらつきを含むので、温度センサによって静電容量を補正することが好ましい。なお、電荷算出式より、燃料噴射弁を２本同時に駆動した場合、消費される電荷ΔＱ(401)は２倍になるため、昇圧電圧降下量ΔＶ(405)も２倍となる。また、ｄｔｃ(406)は昇圧電圧復帰時間であり、昇圧回路にチャージされる電流(ｉｃ)は、下式（３）で算出できる。
ｉｃ＝ΔＱ／ｄｔｃ・・・（３）
【００３６】
電荷算出式より、上式を下式（４）に変換できる。
ΔＶ＝ｉｃ×ｄｔｃ／Ｃ・・・（４）
【００３７】
チャージされる電流(ｉｃ)と、静電容量(Ｃ)を仮に固定値とした場合、昇圧電圧降下量ΔＶ(405)が２倍になると、昇圧電圧復帰時間：ｄｔｃ(406)も２倍となる。
【００３８】
ここで、請求項に記載の予め設定した消費電力量とは、燃料噴射弁１本駆動あたりの燃料噴射するたびの昇圧電圧降下量ΔＶ(405)と降下時間ΔＴ(404)を表す。消費電力量を求めることで、燃料噴射弁１本駆動時の昇圧電圧の低下量を推定することができ、基準電圧を所定値低下させて推定してもよい。また、燃料噴射弁１本駆動時の供給電力量とは、昇圧電圧の上昇(復帰)量ΔＶ(405)と昇圧電圧復帰時間ｄｔｃ(406)を表す。
【００３９】
図５は、多段噴射時の要求動作の一例を示すタイミングチャートである。タイミングチャートは上から順に、噴射パルス幅、燃料噴射弁の電流波形、昇圧電圧(Ｖboost)を表しており、１８０ｄｅｇ所定期間（５０７〜５０８）の間に同一気筒の多段噴射を３回行う場合を例として要求動作を説明する。昇圧電圧(Ｖboost)は、電源が投入されると、基準電圧５０１まで昇圧され、基準電圧５０１で一定となるよう保持される。
【００４０】
また、昇圧電圧の実線５０２で示す通り、噴射１回目（５０３）、噴射２回目（５０４）、噴射３回目（５０５）のタイミング（時点）で噴射１回あたり所定量、電圧が降下し、その後は基準電圧５０１に向けて昇圧される。噴射２回目のタイミング５０４のように、昇圧電圧が基準電圧５０１まで復帰していれば、安定した燃料噴射量を噴射できるが、噴射３回目のタイミング５０５のように、昇圧電圧(Ｖboost)が基準電圧５０１までチャージ完了する前に次の噴射を行うと、昇圧電圧不足によって燃料噴射弁のプランジャの吸引エネルギーが低下して燃料噴射弁の開弁遅れとなり、噴射量ばらつきが大きくなってしまう。特に低噴射パルス域ではこの影響が大きく、開弁遅れによる噴射量のばらつきを抑える補正制御が必要である。また、多段噴射時に噴射タイミングが近接するような噴射を実行する場合、昇圧電圧のチャージ時間を確保するために噴射タイミングを遅らせると、エンジン出力、排気ガスの浄化、燃費向上を高い次元で両立させることを目的とした要求噴射タイミングを設定しているのに、所望のタイミングで燃料噴射を実行できないことになる。
【００４１】
そのため、噴射３回目のタイミング５０５のように、昇圧電圧(Ｖboost)が基準電圧５０１までチャージ完了する前に次の噴射を行う場合に対応するため、燃料噴射弁の駆動前のタイミング５０５で、２回目噴射開始時５０４と３回目噴射開始時５０５の時間差分(Δt1)から算出することにより、２回目噴射分の昇圧電圧の電圧降下および３回目噴射タイミング５０５での昇圧電圧を推定する。
【００４２】
３回目噴射タイミング５０５で推定した昇圧電圧は基準電圧５０１より低いと推定されるので、補正５０６ａの斜線部に示すように噴射パルス幅の延長を行うことで、燃料噴射弁の電流波形も補正５０６ｂに示す斜線部が延長され、燃料噴射量のばらつきを抑制できる。昇圧電圧の推定方法詳細については後述するが、本発明は、昇圧電圧のチャージが間に合わないような短期間の噴射が求められた場合に、所望の噴射タイミングの要求を満たすことができ、昇圧電圧がチャージ中に噴射することによる燃料噴射量ばらつきを抑えることができる。
【００４３】
図６は、多段噴射時の要求動作として、図５とは別の他の例を示すタイミングチャートである。タイミングチャートは上から順に、噴射パルス幅、燃料噴射弁の電流波形、昇圧電圧(Ｖboost)を表しており、１８０ｄｅｇ所定期間（６０７〜６０８）の間に同一気筒の多段噴射を２回行う場合を例として要求動作を説明する。昇圧電圧(Ｖboost)は、電源が投入されると、基準電圧６０１まで昇圧され、基準電圧６０１で一定となるよう保持される。また、昇圧電圧の実線６０２で示す通り、噴射１回目６０３、噴射２回目６０４、次１８０ｄｅｇ所定期間（６０８〜６０９）の間に噴射１回目のタイミング６０５で噴射１回あたり所定量、電圧が降下し、その後は基準電圧６０１に向けて昇圧される。噴射２回目のタイミング６０４のように、昇圧電圧が基準電圧６０１まで復帰していれば、安定した燃料噴射量を噴射できるが、次行程噴射１回目のタイミング６０５のように、昇圧電圧(Ｖboost)が基準電圧６０１までチャージ完了する前に次の噴射を行うと、昇圧電圧不足によって燃料噴射弁のプランジャの吸引エネルギーが低下して燃料噴射弁の開弁遅れとなり、噴射量ばらつきが大きくなってしまう。
【００４４】
そのため、次行程の噴射１回目のタイミング６０５のように、昇圧電圧(Ｖboost)が基準電圧６０１までチャージ完了する前に次の噴射を行う場合に対応するため、燃料噴射弁の駆動前のタイミング６０５で、前行程噴射２回目間に噴射タイミング６０４の確定ＲＥＦの割り込み６０８があった場合、噴射タイミングの確定時点６０８に実測した昇圧電圧および噴射タイミングの確定時点６０８と、確定後１回目噴射タイミング６０５の時間差分(Δｔ２)により、確定後１回目噴射タイミング６０５の昇圧電圧を推定する。
【００４５】
もちろん、２回目噴射タイミング６０４と、確定後１回目噴射タイミング６０５の時間差分(Δｔ３)から算出することにより、２回目噴射分の昇圧電圧の電圧降下および確定後１回目噴射タイミング６０５での昇圧電圧を推定することも可能である。このように、前回噴射タイミングからの経過時間と昇圧回路による昇圧特性により今回噴射タイミングでの電圧上昇量を推定することができ、マイコン３４の演算負荷を低減することができる。
【００４６】
確定後１回目噴射タイミング６０５での推定した昇圧電圧は基準電圧６０１より低いと推定されるので、補正６０６ａの斜線部に示すように噴射パルス幅の延長を行うことで、燃料噴射弁の電流波形も補正６０６ｂに示す斜線部が延長され、燃料噴射量のばらつきを抑制できる。
【００４７】
図７は、多段噴射時の要求動作として、図５、図６とは別の一例を示すタイミングチャートである。タイミングチャートは上から順に、(Ａ)ｎ気筒噴射パルス幅、(Ｂ)ｎ気筒燃料噴射弁電流波形、(Ｃ)ｎ＋１気筒噴射パルス幅、(Ｄ)ｎ＋１気筒燃料噴射弁電流波形、(Ｅ)昇圧電圧(Ｖboost)を表している。本図は、(Ａ)、(Ｃ)の異なる気筒の組合せで、所定期間（７０５〜７０６）のクランク角度１８０ｄｅｇの行程内に３回、次の行程に１回の多段噴射を行うケースを表している。１回目の噴射パルスの立上りと、２回目、３回目の噴射パルスの立上りとが(Δｔ４)ずれており、４回目の噴射パルスの立上りは３回目より大きく遅れてＢＴＤＣ１０ｄｅｇから(Δｔ５)ずれている。
【００４８】
噴射１回目と噴射２回目、噴射２回目と噴射３回目が近接しており、（Ｅ）昇圧電圧(Ｖboost)が基準電圧７０１までチャージされる前に次の噴射が実行される場合、実線７０２で示すように噴射１回目よりも噴射２回目、噴射２回目よりも噴射３回目で更に昇圧電圧が低下する。燃料噴射時の昇圧電圧が基準電圧７０１よりも低下している場合、燃料噴射量が低下することから、噴射２回目の補正７０３ａ、噴射３回目の補正７０４ａで示す斜線部で噴射パルス幅の燃料増量補正を、昇圧電圧推定値に応じて行う。この場合、２回目の噴射より３回目の噴射の昇圧電圧がさらに低いため、２回目噴射の補正７０３ａの時間ｗ３より、３回目噴射の補正７０４ａの時間ｗ４を長く設定している。この噴射パルス幅の補正に伴い、燃料噴射弁の電流波形(Ｄ)の補正７０３ｂ、電流波形(Ｂ)の補正７０４ｂで示す斜線部が延長され、燃料噴射量のばらつきを抑制できる。また、噴射４回目においては、昇圧電圧は基準電圧７０１まで復帰しているため、噴射４回目の噴射パルス幅に対する補正は実施しない。
【００４９】
次に、本発明における昇圧電圧推定値の算出方法について詳細を説明する。本実施例での昇圧電圧推定値の算出方法は、前回噴射開始時点と今回噴射開始時点の時間差分（図５では５０３と５０４のタイミング差分、５０４と５０５のタイミング差分）または噴射タイミングの確定時ＲＥＦから初回噴射までの時間時間差分（図６では６０３と６０７のタイミング差分、６０５と６０８のタイミング差分）、昇圧電圧復帰時間、供給電力量と、消費電力量から、噴射時点の昇圧電圧を推定する。昇圧電圧推定値は下式により算出する。
【００５０】
Ｃ１、噴射タイミングの確定時点に実測した昇圧電圧を利用しない場合
Ｃ２、噴射タイミングの確定時点に実測した昇圧電圧を利用し、噴射ｎ回目と噴射ｎ＋1回目間に噴射タイミングの確定ＲＥＦの割り込みがあった場合
Ｃ３、噴射タイミングの確定時点に実測した昇圧電圧を利用し、噴射ｎ回目と噴射ｎ＋1回目間に噴射タイミングの確定ＲＥＦの割り込みがなかった場合
【００５１】
上記Ｃ１またはＣ３の場合、
昇圧電圧推定値＝前回噴射開始時点の昇圧電圧−噴射後昇圧電圧降下量＋噴射後昇圧電圧降下量×（昇圧電圧復帰時間−ｄｔ（４０２））／（復帰基準時間−ｄｔ（４０２））・・・（５）
【００５２】
上記Ｃ２の場合、
昇圧電圧推定値＝噴射タイミングの確定時点にモニタした昇圧電圧＋噴射後昇圧電圧降下量×（昇圧電圧復帰時間−ｄｔ（４０２））／（復帰基準時間−ｄｔ（４０２））・・・（６）
【００５３】
但し、昇圧電圧推定値の最大値は基準電圧を上限とする。車両用電源(バッテリ)の電源投入後の燃料初回噴射またはアイドルストップ後燃料初回噴射の昇圧電圧推定値は基準電圧とする。昇圧電圧推定値の最大値を、基準電圧の上限とすることで、マイコン３４の誤演算を回避することができる。アイドルストップ後燃料初回噴射の昇圧電圧推定値は基準電圧とすることで、基準電圧の実測タイミング回数を増加して、アイドルストップ車の再始動時も精度の高い推定値を算出することができる。
【００５４】
本実施例における基準電圧は、車両用電源（バッテリ）の初回電源投入後かつ燃料噴射前またはアイドルストップ後燃料噴射前にモニタした昇圧電圧とし、マイコン３４に記憶しておくこととする。前記昇圧電圧推定値の算出式において、昇圧電圧復帰時間は下式により算出する。
【００５５】
上記Ｃ１またはＣ３の場合、
昇圧電圧復帰時間＝ 噴射ｎ＋１回目の噴射タイミング−噴射ｎ回目の噴射タイミング・・・（７）
【００５６】
上記Ｃ２の場合、
昇圧電圧復帰時間＝ 噴射ｎ＋１回目の噴射タイミング−噴射タイミングの確定タイミング・・・（８）
【００５７】
多段噴射時の燃料噴射量のばらつきを正しく補正するには、昇圧電圧の降下量をリアルタイムに把握する必要があるが、燃料噴射による昇圧電圧の降下〜基準電圧までの復帰動作は数百μｓ〜数ｍｓであり、リアルタイムにモニタすることは、マイコンの演算負荷が増大するので好ましくない。そのため、噴射タイミングの確定時点にモニタした昇圧電圧を利用する場合、前述した昇圧回路駆動部４０での昇圧電圧は、本実施例では所定期間の前に(図５では５０７と５０８、図６では６０７、６０８、６０９のタイミング)、Ａ／Ｄ（アナログ信号からデジタル信号変換）して気筒毎に取り込む。昇圧電圧の実測値は、以下で昇圧電圧ＡＤ値と呼ぶ。
【００５８】
また、前記昇圧電圧推定値の算出式において、復帰基準時間は昇圧電圧の復帰基準時間実測値を設定する。昇圧電圧の復帰基準時間については、図８を用いて説明する。
【００５９】
図８はバッテリ電圧と昇圧電圧の復帰基準時間の関係（昇圧特性）を示すチャートである。曲線８０１はＥＣＵ基板温度が高温、曲線８０２はＥＣＵ基板温度が低温の場合を示している。バッテリ電圧が低くなるほど、また、ＥＣＵ基板温度が高温になるほど、昇圧電圧復帰時間が長くなることを表している。ここではＥＣＵ基板温度を用いたが、ＥＣＵの周辺温度または昇圧回路の温度のいずれか１つ以上を用いても良い。また、ここではバッテリ電圧を用いたが、バッテリ電圧なまし値であっても良い。ここまで説明した手段により、昇圧電圧の推定値を求めることができる。
【００６０】
次に噴射パルス幅と昇圧電圧推定補正の算出手段について説明する。なお、昇圧電圧推定補正は、今回噴射開始時に算出する。
気筒別噴射パルス幅＝基本制御値×分割比×燃圧補正係数＋無効パルス幅＋昇圧電圧推定補正・・・（９）
【００６１】
ここで、基本制御値は図３の基本制御値算出手段５４で算出された値であり、分割比は基本制御値算出手段５４で算出された値のうち、今回噴射に対する割合であり、燃圧補正係数は今回噴射開始時の燃料噴射圧力に基づく補正係数である。
【００６２】
昇圧電圧推定補正は、昇圧電圧推定補正量算出手段５３で算出される補正量であり、昇圧電圧がチャージ中に噴射することによる基準電圧に対する降下量が大きくなるのに伴い、燃料噴射量の低下量も大きくなることから、燃料噴射量の低下を抑えるように設定され、燃料噴射パルス幅演算手段５５でパルス幅として演算される。具体的な設定例を図９に示す。
【００６３】
図９は、本発明による昇圧電圧推定値に応じて昇圧電圧推定補正量を設定するチャート（昇圧特性）の一例である。実線９０１は昇圧電圧推定補正量であり、昇圧電圧が基準電圧に対して低くなるほど補正量を大きくして燃料噴射パルス幅を延長する一方、昇圧電圧が基準電圧９０３よりも高い領域では、補正量を小さくして燃料噴射パルス幅を縮小するように補正量を設定した一例である。点線９０２は、昇圧電圧が基準電圧９０３付近でチャージ完了している状態では、昇圧電圧推定補正量を無効として、噴射パルス幅の延長および縮小補正は行わないことを示している。本実施例では、噴射パルス幅に対して昇圧電圧推定補正を加算あるいは減算して補正しているため、「０」で実質的には無効となる。
【００６４】
図１０は、本発明による燃料噴射制御のフローチャートである。本フローは燃料噴射毎の割込みで演算する。
【００６５】
ステップＳ１００１では、前述したVboost基準電圧、ＢＴＤＣ昇圧電圧ＡＤ値、ＥＣＵの基板温度、ＥＣＵの周辺温度、昇圧回路の温度、バッテリ電圧、バッテリ電圧なまし値等の入力パラメータを取り込む。ステップＳ１００２では、始動後の初回噴射か否を判断する。アイドルストップ再始動の初回噴射も初回噴射と定義する。初回噴射の場合、ステップＳ１００３へ進み、Vboost基準電圧は初回噴射時の昇圧電圧推定値とする。前記ステップＳ１００２の条件不成立時は、すなわち初回噴射ではない場合、ステップＳ１００４に進み、ＢＴＤＣ時昇圧電圧ＡＤ値を利用する要否を判断する。
【００６６】
ステップＳ１００４でＢＴＤＣ時昇圧電圧ＡＤ値を利用する時は、ステップＳ１００５に進み、前回噴射と今回噴射間にＢＴＤＣ割り込みがあるか無いかを判断する。割り込みがある時は、ステップＳ１００６に進み、ＢＴＤＣ時昇圧電圧ＡＤ値を実測し、前回噴射時の昇圧電圧値とする。前記ステップＳ１００４のＢＴＤＣ時昇圧電圧ＡＤ値を利用しない時、かつ前記ステップＳ１００５の割り込みが無い時に、ステップＳ１００７に進み、今回噴射時の昇圧電圧値を算出する。次に、ステップＳ１００８では、今回噴射時の昇圧電圧値、昇圧電圧復帰時間などにより今回噴射時昇圧電圧推定値を算出する。
【００６７】
ステップＳ１００８での今回噴射の昇圧電圧推定値の算出にあたっては、ＥＣＵの基板温度、またはＥＣＵの周辺温度、または昇圧回路の温度、またはバッテリ電圧、またはバッテリ電圧なまし値のいずれか２つ以上により昇圧電圧の復帰基準時間を設定する。昇圧電圧が変動するパラメータを２つ以上とすることで精度の高い推定値を算出することができる。
【００６８】
ステップＳ１００９では、今回噴射の昇圧電圧推定値により、図９に示すような昇圧電圧推定補正量を算出する。ステップＳ１０１０では昇圧電圧推定補正量を基本制御値に反映して燃料噴射パルス幅を算出する。次にステップＳ１０１１では算出した燃料噴射パルス幅と燃料噴射タイミングを燃料噴射制御装置２７のドライバＩＣ４５にセットし、ドライバＩＣ４５は駆動電流を出力して燃料噴射弁５を制御する構成となっている。
【００６９】
以上より、昇圧電圧のチャージが間に合わないような短期間の噴射が求められた場合に、燃料噴射パルス幅（ｗ１＋ｗ２）の無効パルス幅ｗ２を延長して所望の噴射タイミングの要求を満たすことができ、昇圧電圧がチャージ中に噴射することによる燃料噴射量ばらつきを抑えることが可能となる。Ｓ１００９での昇圧電圧推定補正量の算出は、燃料噴射に対して個別に算出されるため、精度の高い推定値を求めることができる。
【００７０】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、例えば、上記した実施の形態は本発明を分かりやすく説明するために詳細に説明したものであり、必ずしも説明した全ての構成を備えるものに限定されるものではない。
【００７１】
また、ある実施の形態の構成の一部を他の実施の形態の構成に置き換えることが可能であり、ある実施の形態の構成に他の実施の形態の構成を加えることも可能である。さらに、各実施の形態の構成の一部について、他の構成の追加・削除・置換をすることが可能である。
【００７２】
上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記憶装置、または、ＩＣカード、ＳＤカード、ＤＶＤ等の記録媒体に置くことができる。
【００７３】
また、制御線や情報線は説明上必要と考えられるものを示しており、製品上必ずしも全ての制御線や情報線を示しているとは限らない。実際には殆ど全ての構成が相互に接続されていると考えてもよい。
【産業上の利用可能性】
【００７４】
本発明の活用例として、自動車用の内燃機関の他に、他の用途の内燃機関にも適用できる。
【符号の説明】
【００７５】
１：内燃機関（エンジン）、５：燃料噴射弁、９：ＥＣＵ（エンジンコントロールユニット）、２７：燃料噴射制御装置、２８：燃料噴射制御部、３１：バッテリ（車両用電源）、３２：入出力ポート、３３：電源ＩＣ、３４：マイコン、３８：ドライバ駆動部、４０：昇圧回路駆動部、４１：昇圧回路、４２ａ：昇圧電圧ドライバ、４２ｂ：バッテリ電圧ドライバ、４４：コイル負荷（燃料噴射弁５）、４５：ドライバＩＣ（燃料噴射制御装置）、５１：燃料噴射タイミング演算手段、５２：昇圧電圧推定手段（電圧推定手段）、５３：昇圧電圧推定補正量算出手段（補正量算出手段）、５５：燃料噴射パルス幅演算手段、５６：燃料噴射弁駆動手段
【図１】
0006431826.tif 000002
【図２】
0006431826.tif 000003
【図３】
0006431826.tif 000004
【図４】
0006431826.tif 000005
【図５】
0006431826.tif 000006
【図６】
0006431826.tif 000007
【図７】
0006431826.tif 000008
【図８】
0006431826.tif 000009
【図９】
0006431826.tif 000010
【図１０】
0006431826.tif 000011